(57)【要約】【課題】使用後の歯ブラシは毛束や毛束の間に食べかすや歯垢等が挟まり雑菌の温床になりやすい。又、２本の歯ブラシを直交させブラッシングする方法は、清浄度が悪く、作業性にも問題である。【解決手段】歯ブラシの清掃ブラシにあって、把柄と、ブラシ毛が植毛されたヘッド部と、清掃作業時に被清掃歯ブラシのブラシ上面に接触するガイド部から構成され、ヘッド部には把柄軸と直角方向を長辺とし把柄軸方向を短辺とする矩形又は把柄軸と直角方向を長軸とし把柄軸方向を短軸とする楕円形の植毛面を有し、ガイド部には把柄の延長線上ヘッド部を挟んで把柄と反対方向でかつヘッド部の植毛面側に非植毛のガイド面を設けた事を特徴とする歯ブラシの清掃ブラシとする。【選択図】図１
2015128490.tif 000002
【特許請求の範囲】
【請求項１】
歯ブラシの清掃ブラシにあって、把柄と、ブラシ毛が植毛されたヘッド部と、清掃作業時に被清掃歯ブラシのブラシ上面に接触するガイド部から構成され、ヘッド部には把柄軸と直角方向を長辺とし把柄軸方向を短辺とする矩形又は把柄軸と直角方向を長軸とし把柄軸方向を短軸とする楕円形の植毛面を有し、ガイド部には把柄の延長線上ヘッド部を挟んで把柄と反対方向でかつヘッド部の植毛面側に非植毛のガイド面を設けた事を特徴とする歯ブラシの清掃ブラシ。
【請求項２】
ヘッド部の植毛面の長辺又は長軸が１５ｍｍから３５ｍｍであり、短辺又は短軸が５ｍｍから１５ｍｍである事を特徴とする請求項１に記載した歯ブラシの清掃ブラシ。
【請求項３】
ヘッド部の植毛面の長辺又は長軸に平行な毛束列の数が２〜４であり、短辺又は短軸に平行な毛束列の数が１０〜１４である事を特徴とする請求項１に記載した歯ブラシの清掃ブラシ。
【請求項４】
ブラシ毛の硬度がＪＩＳ  Ｓ  ３０１６−１９９５の歯ブラシのブラシ毛の硬度表示のかためと同等以上である事を特徴とする請求項１又は２に記載した歯ブラシの清掃ブラシ。
【発明の詳細な説明】
【技術分野】
【０００１】
本発明は、使用後の歯ブラシに付着した食渣、歯垢を掻き出す歯ブラシの清掃ブラシに関する。
【背景技術】
【０００２】
歯ブラシは、古くから日常生活に不可欠なツールとして普及している。又、歯に付着した食渣、歯垢の清掃効率や使い易さを求めて、次々と新案も報告されている。一方使用後の歯ブラシに付着している食渣、歯垢を清掃、清浄する道具は、未普及といえる。
【０００３】
特許文献１は、平面形状が歯ブラシと同等である歯ブラシ清浄用のブラシである。通常の歯ブラシを清掃ブラシとして代用した場合の課題について、段落０００４にて述べるが、平面形状が、通常の歯ブラシと同等である特許文献１は、同様の課題を有する。
特許文献２は、歯ブラシに櫛形の清掃具を付属したものである。櫛形の場合、毛束間の食渣は取り除けるが、ブラシ毛の間或いはブラシ毛に付着した歯垢の除去は不可能である。
【０００４】
一般的に使用後の歯ブラシの清掃は、コップの中でゆすぐ、或いは流水で洗い流す程度であるが、ヘッド部のブラシ毛の間に挟まった食渣、歯垢を十分には除去できない。
又、通常の歯ブラシ２本を使って、互いのブラシ面を対向させ、流水中でブラッシングすると、食渣，歯垢をある程度取り除くことができる。
この場合の問題点について以下に記す。
清掃の方法として、歯ブラシ２本を互いの把柄軸を並行に保って互いのヘッド部のブラシ部分をブラッシングする方法と、互いに直交させブラッシングする方法とが考えられるが、試行してみると並行に保ってブラッシングする方法は手首をローリングする動きとなるため互いのブラシ部分を押し付ける力が入りにくく、動作として無理がある。
一方、歯ブラシ２本を使って、互いに直交させてブラッシングする場合、清掃ブラシの役割を負う歯ブラシの短辺に平行な毛束列（一般に８〜１０列）が被清掃歯ブラシの長辺に平行な毛束列（４〜５列）を横切る形で往復運動させることになる。この場合、互いのブラシ毛が干渉し往復運動にかなり力が必要となる他、清掃ブラシのブラシ毛が浮き上がり、被清掃ブラシのブラシ毛の奥、即ち植毛面まで届きにくい。このため特に歯ブラシの毛束の奥の方にある食渣、歯垢が取りきれず、不十分な清掃となる。上記は、特許文献１の問題点でもある。
【先行技術文献】
【特許文献】
【０００５】
【特許文献１】実用新案公開昭５７−６８６２８号公報
【特許文献２】特開２０１０−２６４２１１号公報
【発明の開示】
【発明が解決しようとする課題】
【０００６】
使用後の歯ブラシは、ヘッド部のブラシ毛の間に食渣、歯垢が挟まり雑菌の温床になりやすい。効率的に清掃できる専用の清掃ブラシが不可欠と考えられる。
【課題を解決するための手段】
【０００７】
第１の発明は、歯ブラシの清掃ブラシにあって、把柄と、ブラシ毛が植毛されたヘッド部と、清掃作業時に被清掃歯ブラシのブラシ上面に接触するガイド部から構成され、ヘッド部には把柄軸と直角方向を長辺とし把柄軸方向を短辺とする矩形又は把柄軸と直角方向を長軸とし把柄軸方向を短軸とする楕円形の植毛面を有し、ガイド部には把柄の延長線上ヘッド部を挟んで把柄と反対方向でかつヘッド部の植毛面側に非植毛のガイド面を設けた事を特徴とする歯ブラシの清掃ブラシである。
【０００８】
以下、植毛面が矩形の場合について記述する。又、植毛面は矩形だけでなく楕円形であっても同等の効果がえられる。楕円形の場合の記述は省略するが、矩形を楕円形に、長辺を長軸に、短辺を短軸に読み替えることにて同等となる。
清掃ブラシの植毛面を被清掃歯ブラシの植毛面に対向させ互いにブラッシュングするとき、清掃ブラシの把柄軸を被清掃歯ブラシの把柄軸に略直交させると、手首に負担がかかりにくく清掃しやすい。又、通常の歯ブラシと同等形状の清掃ブラシを直交して使用する場合、段落０００４で述べた問題点がある。更に清掃ブラシの短辺が被清掃ブラシの長辺と直交する状態となるため、一度に清掃できる範囲が狭く、効率が悪い。
本願発明では清掃ブラシのヘッド部の植毛面の長辺方向が把柄軸と直交し、ヘッド部の植毛面の長辺が歯ブラシのヘッド部の長辺に対向するため、被清掃歯ブラシの長手方向のほぼ全長或いは全長にわたって一度にブラッシングできる。
【０００９】
更に清掃作業を容易にするためガイド部を設けた。即ち、被清掃歯ブラシを上向きに、清掃ブラシを下向きにした状態で両者を直交させ、上側の清掃ブラシを動かしてブラッシングする時、清掃ブラシを把柄方向へ動かす（以下引くという）のは容易であるが、反対方向へ動かす（以下押すという）時は互いのブラシ面が噛み合い難く、難しい作業となる。これは引く場合は、清掃ブラシの把柄の下面（ヘッド部の植毛面側）が被清掃ブラシのブラシ上面に接触しガイド面となり、お互いの噛み合いの上下の位置決めがなされているのに対し、押す場合には位置決めができず、噛み合いにくいためである。本願ではヘッド部を挟んで把柄と対向する部位にガイド部を設けた。これにより押す場合の噛み合いが引く場合の噛み合いと同等になり、ブラッシング作業が格段に容易になる。尚、ガイド面は、ヘッド部の植毛面に連続し、同じ高さであることが最も望ましいが、１〜２ｍｍ程度の高さの差があってもヘッド部植毛面と滑らかにつながっていれば実用上問題ない。
【００１０】
第２の発明は、第１の発明に記載した歯ブラシの清掃ブラシにあって、ヘッド部の植毛面の長辺又は長軸が１５ｍｍから３５ｍｍであり、短辺又は短軸が５ｍｍから１５ｍｍである事を特徴としている。
標準的な歯ブラシの植毛面の長辺は、１５ｍｍから２５ｍｍであり、短辺は約１０ｍｍである。清掃ブラシの植毛面の長辺は、歯ブラシの植毛面の長辺より長いことが望ましく、１５ｍｍから３５ｍｍが実用的である。又短辺は、長辺と平行な毛束列の数により必要な寸法が異なるが、毛束列の間隔が１．５ｍｍから３ｍｍ、毛束列の数を２〜３とすると５〜１５ｍｍが実用的である。
【００１１】
第３の発明は、第１又は第２の発明に記載した歯ブラシの清掃ブラシにあって、ヘッド部の植毛面の短辺又は短軸に平行な毛束列の数が１０〜１４であり、長辺又は長軸に平行な毛束列の数が２〜４である事を特徴としている。
標準的な歯ブラシのヘッド部の植毛面の短辺に平行な毛束列の数は８〜１０であり、長辺に平行な毛束列の数が３〜５である。
清掃ブラシのヘッド部の植毛面の短辺に平行な毛束列の数は、被清掃歯ブラシの長手方向の毛束列の全てをカバーできることが望ましい。このため実用的には１０〜１４が望ましい。
又、清掃ブラシの移動方向と直交する軸と平行な毛束列の数、即ち本願発明ではヘッド部の長手方向に平行な毛束列の数がおおいと歯ブラシのブラシ毛と清掃ブラシのブラシ毛とが互いに干渉し、清掃ブラシのブラシ毛が歯ブラシのブラシ毛の奥まで入りにくい。上記観点から清掃ブラシの毛束列の数において、清掃ブラシの移動方向と直交する軸と平行な毛束列の数は、基本的に少ない方がよい。ただし、一列だと腰折れしやすくなるので２〜４列が実用的である。
【００１２】
第４の発明は、第１又は第２又は第３の発明に記載した歯ブラシの清掃ブラシにあって、ブラシ毛の硬度がＪＩＳ  Ｓ  ３０１６−１９９５の歯ブラシのブラシ毛の硬度表示のかためと同等以上である事を特徴としている。清掃ブラシのブラシ毛の硬さは、被清掃歯ブラシのブラシ毛の硬さより硬い方が歯ブラシのブラシ毛をなめらかに湾曲させながら梳くことができる。
【００１３】
又、把柄軸と直角方向（ヘッド部の長辺）に平行な毛束列の各毛束間のピッチは、被清掃歯ブラシの各毛束のピッチと同じであることが望ましい。一方、毛束列間の間隔については、特に規定しない。
【発明の効果】
【００１４】
使用後の歯ブラシの食渣、歯垢を効率的に清掃できる。
【発明を実施するための形態】
【００１５】
本発明の実施例の平面図を図１に、正面図を図２に、使用説明図を図３および図４に示す。又、図５および図６にヘッド部及びガイド部の形についての説明図を示す。
【００１６】
本発明の実施例について、図１から図４を使って以下に詳述する。
尚、以下の説明では、歯ブラシ１および清掃ブラシ７のヘッド部に植毛される毛束の配列について、ヘッド部の長辺に平行な毛束の並びを毛束行、ヘッド部の短辺に平行な毛束の並びを毛束列と呼ぶ。
図１に実施例の清掃ブラシの平面図を、図２に正面図を示している。本発明にかかわる清掃ブラシ７は、ヘッド部（Ｂ）８と把柄（Ｂ）１２およびガイド部１４からなり、ヘッド部（Ｂ）８の植毛面（Ｂ）１１に毛束（Ｂ）１０が植毛されている。
植毛面（Ｂ）１１の長辺Ｌは、被清掃歯ブラシ１の植毛面（Ａ）６の長辺と同等以上が望ましい。標準的な歯ブラシの植毛面（Ａ）の長辺は、１５ｍｍから２５ｍｍであることを勘案すると、１５ｍｍから３５ｍｍが実用的である。本実施例では、毛束列の数が１０列、長辺と平行な毛束の間隔を２ｍｍの歯ブラシを対象とし、毛束列の数を１２、毛束の間隔を２ｍｍとし、植毛面（Ｂ）１１の長辺を２６ｍｍとした。植毛面（Ｂ）短辺は、長辺と平行な毛束列（毛束行）の数により必要な寸法が異なるが、毛束行の間隔が１．５〜３ｍｍ、毛束行の数を２〜３とすると５〜１５ｍｍが実用的である。本実施例では、毛束行を３（両端の非植毛部分を考慮するとピッチ数は４となる）、毛束行のピッチを２ｍｍとし、植毛面（Ｂ）短辺Ｗを８ｍｍとした。ガイド部１４は、植毛面（Ｂ）１１と同一高さのガイド面１５を持ち把柄（Ｂ）１２の延長線上ヘッド部（Ｂ）８を挟んで把柄（Ｂ）１２と反対方向に突起状に設けられ、清掃ブラシ全体の平面形状が十字形を形成している。
ガイド部１４の長さＴは、５ｍｍから２０ｍｍであることが望ましい。本実施例では１０ｍｍとした。効果については図３および図４を使って後述する。
【００１７】
毛束行の各毛束間のピッチは、被清掃歯ブラシ１の毛束行の各毛束間のピッチと同等であることが望ましい。即ち、清掃ブラシ７は被清掃歯ブラシ１と一対で製作し両者の毛束行の各毛束間のピッチを同じにすることが最ものぞましい。又、標準的な歯ブラシ１において、毛束の径は１ｍｍ程度、毛束のピッチは２mm程度である。このため、汎用的に利用する清掃ブラシにあっては、毛束行の各毛束のピッチは２ｍｍとし、せまめで１．５ｍｍ、ひろめで２．５ｍｍの清掃ブラシを３種類程度用意すればほとんどの歯ブラシ１に対応できる。又、清掃のブラシ７の毛束列の数は、被清掃歯ブラシ１の毛束列の数と同等以上であることが望ましい。具体的には、歯ブラシ１の毛束列の数は小型で５列、標準で８〜１０列である。このため汎用的な清掃ブラシ７の毛束列の数は１０列以上であることが望ましい。上記により歯ブラシの１のブラシ面（Ａ）４の全長にわたって清掃ブラシ７のブラシ面（Ｂ）９を噛み合わせることができ、効率よくブラッシングできる。
【００１８】
清掃ブラシ７の移動方向１３と直交する軸と平行な毛束の並びの数、即ち毛束行の数がおおいと被清掃歯ブラシのブラシ毛と清掃ブラシのブラシ毛とが互いに干渉し清掃ブラシのブラシ毛が歯ブラシのブラシ毛の奥まで入りにくい。上記観点から清掃ブラシの毛束行の数は、基本的に少ない方がよい。ただし、１行だと腰折れしやすくなるので２〜４行が実用的である。又、毛束行の行間は、歯ブラシと同じである必要はなく、例えばヘッド部短辺の両端に１行ずつでも実用上問題ない。尚、標準的な歯ブラシ１の毛束行の数は、３〜５行程度であり、これらを清掃ブラシの２〜４行の毛束行にて梳いていくことになる。
又、毛束（Ｂ）１０の一本あたりのブラシ毛の数を通常の歯ブラシ１の毛束（Ａ）一本あたりのブラシ毛の数の半分程度にすると、ブラシング作業をより小さい力で行うことができる。具体的には、一本の毛束のブラシ毛の数を減らす或いは毛束の径を減らす方法がある。一例として標準的に１ｍｍ程度の毛束の径を０．５〜０．７ｍｍとすることが望ましい。
【００１９】
毛束（Ｂ）１０の高さＨは、被清掃歯ブラシ１の毛束（Ａ）５の高さより高い必要がある。一方余り高すぎると清掃ブラシの毛束（Ｂ）の腰が弱くなるため、被清掃歯ブラシの毛束（Ａ）５の１．２倍程度が望ましい。具体的には、標準的な歯ブラシ（大人用）の毛束の高さが８〜１０ｍｍであることを考慮して１２ｍｍ程度が望ましい。これにより、清掃ブラシ７の毛束（Ｂ）１０の先端が、被清掃歯ブラシ１の毛束（Ａ）５の奥まで届き、被清掃歯ブラシ１の植毛面（Ａ）６の近くに溜まりやすい細かい食渣、歯垢を掻き出しやすくなる。
【００２０】
清掃ブラシ７のブラシ毛の硬度は、被清掃歯ブラシ１のブラシ毛よりも硬いことが望ましい。歯ブラシのブラシ毛の硬度において、ＪＩＳ  Ｓ  ３０１６−１９９５にて、硬度の試験方法と表示について規定されている。清掃ブラシ７のブラシ毛の硬さは、被清掃歯ブラシのブラシ毛の硬さより硬い方が歯ブラシのブラシ毛をなめらかに湾曲させながら梳くことができる。このため、清掃ブラシのブラシ毛の硬度は、少なくとも歯ブラシのＪＩＳ  Ｓ  ３０１６−１９９５規格で表示されるかためのブラシ毛と同等以上の硬さであることが望ましい。
【００２１】
図３は、実施例の使用説明図（１）である。この図は、清掃用ブラシ７のブラシ面（Ｂ）９を被清掃する歯ブラシ１のブラシ面（Ａ）４に対向させ、かつ互いの把柄軸を概略直交させ、互いのブラシ毛を噛み合わせながら清掃ブラシ７を移動方向１３、即ち把柄方向へ動かす（以下引くと呼ぶ）場合の噛み合わせ状態を示している。一方、図４は前記と反対方向、即ち把柄方向と反対方向へ動かす（以下押すと呼ぶ）場合の噛み合わせ状態を示している。歯ブラシの清掃作業は、引く作業と押す作業を交互に、即ち往復動作により歯ブラシ１のブラシ毛の間に挟まっている食渣、歯垢を取り除く。この作業は、原則流水中で行う。
【００２２】
この作業の際、ガイド部が重要な役割を果たす。ガイド部がない場合、引く作業に比べて、押す作業は被清掃歯ブラシ１の毛束（Ａ）５に清掃ブラシ７の毛束（Ｂ）１０がかみあわず難しい作業となる。これは引く場合は、清掃ブラシの把柄（Ｂ）１２の下面が被清掃ブラシのブラシ面４に接触しガイド面となり、お互いの噛み合いの上下の位置決めがなされているのに対し、押す場合には位置決めができず、噛み合いにくいためである。本願ではヘッド部（Ｂ）８を挟んで把柄（Ｂ）１２と対向する部位にガイド部１４を設けた。これにより図４に示す様に押す場合には被清掃ブラシ１のブラシ面４にガイド面１５が接触し位置決めがなされ、引く場合の噛み合いと同等になり、ブラッシング作業が格段に容易になっている。
尚、図１において、ヘッド部（Ｂ）８の形状を植毛面（Ｂ）１１の形状と同じ矩形とし、ガイド部を把柄と反対方向へ突起状に設けたが、特に上記形状にこだわらない。一例として、矩形のヘッド部に三角形のガイド部を付加し、ヘッド部及びガイド部にて形成される平面形状が五角形の場合の平面図を図５、正面図を図６に示す。又、ヘッド部にガイド部を付加した平面形状が三角形でも良い。この場合、矩形或いは楕円形の植毛面のまわりに非植毛面が存在し、非植毛面がガイド面となる。
【００２３】
尚、清掃作業は、清掃ブラシ７で歯ブラシ１をヘッド部短辺に直交する中心軸に向って外側から内側にブラッシングする。このため使用によって毛先が外側に開いてくる歯ブラシ１の毛先を内側に矯正する効果がある。この結果、歯ブラシの寿命が長くなるという２次的効果がある。
【産業上の利用可能性】
【００２４】
不衛生になりがちな使用後歯ブラシを効率的に清掃できる歯ブラシ専用の清掃ブラシを提供できる。
【図面の簡単な説明】
【００２５】
【図１】実施例の清掃ブラシの平面図である。
【図２】実施例の清掃ブラシの正面図である。
【図３】実施例の使用説明図（１）である。
【図４】実施例の使用説明図（２）である。
【図５】ヘッド部及びガイド部形状の説明図（平面図）
【図６】ヘッド部及びガイド部形状の説明図（正面図）
【符号の説明】
【００２６】
１  歯ブラシ
４  ブラシ面（Ａ）  
５  毛束（Ａ）  
６  植毛面（Ａ）
７  清掃ブラシ  
８  ヘッド部（Ｂ）  
９  ブラシ面（Ｂ）  
１０  毛束（Ｂ）  
１１  植毛面（Ｂ）  
１２  把柄（Ｂ）  
１３  移動方向  
１４  ガイド部  
１５  ガイド面  
１６  ブラシ毛の高さ  
Ｌ  植毛面（Ｂ）の長辺  
Ｗ  植毛面（Ｂ）の短辺  
Ｔ  ガイド部の長さ  
【図１】
2015128490.tif 000003
【図２】
2015128490.tif 000004
【図３】
2015128490.tif 000005
【図４】
2015128490.tif 000006
【図５】
2015128490.tif 000007
【図６】
2015128490.tif 000008